(57)【要約】【課題】メータや電気接続箱の交換作業性及び解体作業性に配慮しつつ、組み付け性の向上や作業工数の低減、さらにはコスト低減を図ることが可能なメータ構造を提供する。【解決手段】電気接続箱一体型メータ１１は、所定の製造ラインにおいてメータ裏ケース１６をセットし、この後にメータ裏ケース１６の構成部品収容スペース２１に配線板アッセンブリ３０、コネクタブロックアッセンブリ３２、及び、ＢｔｏＢピンヘッダー３４を接続した電気接続箱基板３３を収容固定して電気接続箱１３を形成し、さらにこの後に、蓋部材１４を所定位置に組み付け、メータ基板１７等のメータ１２の構成部品を組み付け、最後にメータ表ケース１５をメータ裏ケース１６に被せて固定しメータ１２を形成することにより製造されるようになっている。【選択図】図１
2010148186.tif 000002
【特許請求の範囲】
【請求項１】
メータ基板の背面側に位置する、メータ裏ケースの壁の一部を、この壁の内面側から凹ませて外面側が凸状となる形状に形成し、この凸状形成部分を電気接続箱用の壁一体型カバーとするとともに、前記壁の内面側の凹み部分を前記電気接続箱の構成部品収容スペースとする
ことを特徴とするメータ構造。
【請求項２】
請求項１に記載のメータ構造において、
前記メータ基板及び前記メータ裏ケースに対し別体となり、前記メータ基板の背面側に位置して前記凹み部分の開口を覆う樹脂製の蓋部材を備える
ことを特徴とするメータ構造。
【請求項３】
請求項２に記載のメータ構造において、
前記蓋部材は、前記開口を覆う蓋本体を有し、前記メータ基板側となる前記蓋本体の正面には、リブを一体に設ける
ことを特徴とするメータ構造。
【請求項４】
請求項２に記載のメータ構造において、
前記蓋部材は、前記開口を覆う蓋本体を有し、前記メータ基板側とは反対側となる前記蓋本体の背面には、ヒューズキャビティの一部となるキャビティ構成部を一体に設ける
ことを特徴とするメータ構造。
【請求項５】
請求項４に記載のメータ構造において、
前記ヒューズキャビティ構成部は、前記ヒューズキャビティの一部を前記メータ裏ケースの前記壁から離す配置調整部を有する
ことを特徴とするメータ構造。
【発明の詳細な説明】
【技術分野】
【０００１】
本発明は、車両等に搭載されるメータの構造に関し、詳しくは、メータと電気接続箱との一体化に係るメータ構造に関する。
【背景技術】
【０００２】
インストルメントパネル等においてメータや電気接続箱が別々に配置されるとワイヤハーネスの配索が複雑になるため、メータや電気接続箱の交換作業性及び解体作業性に配慮し、また、部品点数削減のため、メータの背面に電気接続箱を組み付けることが従来より知られている。
【０００３】
下記特許文献１には、メータの背面に電気接続箱を組み付けることに関する技術が開示されている。図４において、下記特許文献１の開示技術では、電気接続箱１がステアリングコラム２の上に設けられるメータ３の背面に組み付けられている。メータ３は、指針３ａ、ムーブメント３ｂ、電子部品３ｃ、メータ基板３ｄ、文字板３ｅ、導光板３ｆ、見返し３ｇ、表ガラス３ｈ、ケース３ｉ等を備えて構成されている。引用符号２ａは正面側コラムカバー、２ｂは背面側コラムカバー、２ｃは下側コラムカバー、２ｄはターンスイッチ、２ｅはワイパースイッチ、２ｆはイグニッションスイッチ、２ｇはステアリングホイールを示している。
【０００４】
電気接続箱１は、メータ基板３ｄの背面に後付けによって組み付けられている。電気接続箱１は、メインカバー１ａを備えており、このメインカバー１ａは開口部１ｂが正面側（メータ３側）に向く受皿状のカバー基台１ｃと、図示しないバスバーユニットや布線ユニット等を収容し開口部（図示省略）が背面側に向く受皿状の収容部１ｄとを有している。メインカバー１ａの他には、収容部１ｄの開口を覆うアンダーカバー（図示省略）を備えている。アンダーカバーには、コネクタ１ｅが設けられている。メインカバー１ａには、メータ基板３ｄの図示しないコネクタ嵌合部に嵌合して電気的に接続されるコネクタ１ｆが設けられている。収容部１ｄの側面には、ヒューズＨを収容するヒューズキャビティ１ｇが設けられている。
【０００５】
上記構成において、電気接続箱１は、上記の如く後付けによってメータ基板３ｄの背面に組み付けられることから、電気接続箱１及びメータ３を各々組み付けた後に一体化するようになっている。ここで図４（ｂ）を参照しながら電気接続箱１及びメータ３の組み付け方向について見てみると、電気接続箱１は収容部１ｄの開口部が背面側に向くことから、図示しないバスバーユニットや布線ユニット等は、矢印Ｐ方向から組み付けられるようになっている。一方、メータ３は、メータ基板３ｄの正面側に指針３ａやムーブメント３ｂなどの各部品が配置されることから、各部品が矢印Ｑ方向から組み付けられるようになっている。
【特許文献１】特開２００５−１７０３１３号公報
【発明の開示】
【発明が解決しようとする課題】
【０００６】
上記従来技術にあっては、交換作業性及び解体作業性に配慮して電気接続箱１をメータ基板３ｄの背面に後付けするメータ構造を有している。また、図４（ｂ）に示す如くの状態で見ると、電気接続箱１及びメータ３の各々の組み付け方向（矢印Ｐ、Ｑ参照）が異なるようなメータ構造を有している。従って、電気接続箱１とメータ３とを一体化させるまでに多くの工程を経る必要があり、作業が繁雑になってしまうことから、工数の面及び組み付け性の面で改善を図ることができる余地を有している。
【０００７】
また、上記従来技術にあっては、メータ３のケース３ｉや、電気接続箱１のメインカバー１ａ及びアンダーカバーが、外観形状を構成する部分や電気的接続に用いる部分等を含んでいることから、十分な強度を確保する必要があり、このため高価な樹脂材料を用いて樹脂成形をしている。従って、コスト面で改善を図ることができる余地を有している。
【０００８】
尚、バスバーユニットや布線ユニット等を収容する部分となる収容部１ａの底壁部分は、強度を確保する必要がなく高価な樹脂材料を用いる必要がないと本願発明者は考えている。
【０００９】
本発明は、上記した事情に鑑みてなされたもので、メータや電気接続箱の交換作業性及び解体作業性に配慮しつつ、組み付け性の向上や作業工数の低減、さらにはコスト低減を図ることが可能なメータ構造を提供することを課題とする。
【課題を解決するための手段】
【００１０】
上記課題を解決するためになされた請求項１記載の本発明のメータ構造は、メータ基板の背面側に位置する、メータ裏ケースの壁の一部を、この壁の内面側から凹ませて外面側が凸状となる形状に形成し、この凸状形成部分を電気接続箱用の壁一体型カバーとするとともに、前記壁の内面側の凹み部分を前記電気接続箱の構成部品収容スペースとすることを特徴としている。
【００１１】
このような特徴を有する本発明によれば、メータの組み付け方向と電気接続箱の組み付け方向とが同じ方向になる。電気接続箱は、この構成部品がメータ裏ケースの壁の内面側に形成される凹み部分に収容される状態で組み付けられる。電気接続箱の構成部品を収容して電気接続箱の組み付けが終わった後には、この電気接続箱の前方にメータの構成部品が通常の方向で組み付けられる。
【００１２】
請求項２記載の本発明のメータ構造は、請求項１に記載のメータ構造において、前記メータ基板及び前記メータ裏ケースに対し別体となり、前記メータ基板の背面側に位置して前記凹み部分の開口を覆う樹脂製の蓋部材を備えることを特徴としている。
【００１３】
このような特徴を有する本発明によれば、電気接続箱の構成部品とメータの構成部品とが蓋部材により隔離されて絶縁される。蓋部材は、単独の部品であることから、比較的安価な樹脂材料を用いて樹脂成形をすることが可能になる。蓋部材は、凹み部分の開口を覆う範囲を開口全体とすれば、電気接続箱側からメータ側への埃や異物等の侵入が防止される。
【００１４】
請求項３記載の本発明のメータ構造は、請求項２に記載のメータ構造において、前記蓋部材は、前記開口を覆う蓋本体を有し、前記メータ基板側となる前記蓋本体の正面には、リブを一体に設けることを特徴としている。
【００１５】
このような特徴を有する本発明によれば、リブにより蓋部材自体の強度が高まるのは勿論のこと、メータ基板の支えとして機能させることも可能になる。メータ基板は、リブにより支えられて位置が安定する。
【００１６】
請求項４記載の本発明のメータ構造は、請求項２に記載のメータ構造において、前記蓋部材は、前記開口を覆う蓋本体を有し、前記メータ基板側とは反対側となる前記蓋本体の背面には、ヒューズキャビティの一部となるキャビティ構成部を一体に設けることを特徴としている。
【００１７】
このような特徴を有する本発明によれば、ヒューズキャビティの一部を蓋部材側に設けることで、電気接続箱の構成部品の構造を簡素化したり部品点数を削減したりすることが可能になる。
【００１８】
請求項５記載の本発明のメータ構造は、請求項４に記載のメータ構造において、前記ヒューズキャビティ構成部は、前記ヒューズキャビティの一部を前記メータ裏ケースの前記壁から離す配置調整部を有することを特徴としている。
【００１９】
このような特徴を有する本発明によれば、配置調整部の突出寸法を大きく設定することで、メータ裏ケースの壁の外面から離れた位置でヒューズを着脱することが可能になる。
【発明の効果】
【００２０】
請求項１に記載された本発明によれば、メータ裏ケースの壁の一部を、この壁の内面側から凹ませて外面側が凸状となる形状に形成し、この凸状形成部分を電気接続箱用の壁一体型カバーとするとともに、壁の内面側の凹み部分を電気接続箱の構成部品収容スペースとすることで、メータ及び電気接続箱の組み付け方向を同じ方向にすることができる。これにより、電気接続箱及びメータを各々組み付ける必要がなく、同一ラインで組み付けをすることができる。従って、本発明によれば、組み付け性の向上や作業工数の低減やコスト低減を図ることができるという効果を奏する。本発明は、メータと電気接続箱との一体化に好適なメータ構造であることから、このメータ構造を採用してメータと電気接続箱とを一体化させれば、メータ及び電気接続箱の交換作業性及び解体作業性にも配慮することができるという効果を奏する。
【００２１】
請求項２に記載された本発明によれば、外観形状を構成する部分と電気的接続に用いる部分とを含まない蓋部材を単独の部品とすることにより、比較的安価な樹脂材料を用いて樹脂成形をすることができる。従って、本発明によれば、コスト低減を図ることができるという効果を奏する。この他、蓋部材によって電気接続箱の構成部品とメータの構成部品とを隔離して絶縁することができる。また、開口全体を覆う蓋として蓋部材を機能させることにより、電気接続箱側からメータ側への埃や異物等の侵入を防止することができる。従って、本発明によれば、電気的な信頼性を高めることもできるという効果を奏する。
【００２２】
請求項３に記載された本発明によれば、リブにより蓋部材自体の強度を高めることができる。従って、比較的安価な樹脂材料を用いて蓋部材を樹脂成形しても強度不足にならないようにすることができるという効果を奏する。この他、リブでメータ基板を支えることにより、メータ基板の位置を安定させることができる。そして、メータ基板の位置を安定させることで、メータ側の構成部品の組み付けをし易くすることができる。従って、本発明によれば、作業性の向上に寄与することもできるという効果を奏する。
【００２３】
請求項４に記載された本発明によれば、本来、電気接続箱の構成であるヒューズキャビティを分割し、ヒューズキャビティの一部を蓋部材側に設けることから、電気接続箱の構成部品の構造を簡素化したり部品点数を削減したりすることができる。従って、本発明によれば、組み付け性の向上や作業工数の低減やコスト低減に寄与することができるという効果を奏する。
【００２４】
請求項５に記載された本発明によれば、配置調整部の突出寸法を大きく設定することにより、メータ裏ケースの壁の外面から離れた位置でのヒューズ脱着をすることができる。従って、本発明によれば、ヒューズの脱着をし易くすることができ、組み付け作業性の向上やメンテナンス性の向上、更には解体作業性の向上を図ることができるという効果を奏する。
【発明を実施するための最良の形態】
【００２５】
以下、図面を参照しながら説明する。図１及び図２は本発明のメータ構造の一実施の形態を示す電気接続箱及びメータの分解斜視図である。また、図３は一体化した電気接続箱及びメータの図であり（ａ）は平面図、（ｂ）は背面図である。
【００２６】
図１ないし図３において、引用符号１１は本発明のメータ構造を採用した電気接続箱一体型メータを示している。電気接続箱一体型メータ１１は、例えば図示しないインストルメントパネルに設けられるメータモジュールの一部品として製造されている（ステアリングコラムの上に設けられるものであっても良いものとする）。電気接続箱一体型メータ１１は、メータ１２と電気接続箱１３とを一体化させたものとなっている。
【００２７】
電気接続箱一体型メータ１１は、以下の説明で分かるようになるが、従来例（図４参照）と同様に電気接続箱をメータに対して後付けするものではない。
【００２８】
電気接続箱一体型メータ１１は、メータ１２及び電気接続箱１３の他に、これらの間に介在するような蓋部材１４を備えている。尚、蓋部材１４を備えることは任意であるが、絶縁や異物侵入防止、ヒューズキャビティの形成（これらについては後述する）に効果的であることから、本形態のように備えることが好ましいものとする。
【００２９】
メータ１２は、速度計、回転計、水温計等を含むコンビネーションメータとなっている（速度計を基本とする単眼メータであっても良いものとする）。メータ１２は、メータ表ケース１５と、メータ裏ケース１６と、これらの内部に収容されるメータ基板１７と、メータ基板１７に組み付けられる図示しないムーブメント、電子部品、及び光源素子等と、速度値などの指標が形成された図示しない文字板と、上記光源素子からの光を上記文字板に導く図示しない導光板等とを備えて構成されている。メータ基板１７やこれに組み付けられる各種部品は、公知のものであるものとする。
【００３０】
メータ表ケース１５は、電気接続箱一体型メータ１１の正面側の外観を形成する部品として、また、メータ裏ケース１６は、電気接続箱一体型メータ１１の背面側の外観を形成する部品として備えられている。メータ表ケース１５は、メータ基板１７の正面側に配置され、メータ裏ケース１６は、メータ基板１７の背面側に配置されている。メータ裏ケース１６は、メータ基板１７の背面から所定の間隔をあけて対向する壁１８と、この壁１８の周縁に連続する周壁１９とを有している。メータ裏ケース１６は、壁１８が比較的浅い位置にあるとともに、開口が正面側を向く浅底の略受皿形状に形成されている。
【００３１】
壁１８には、メータ基板１７をネジ止めするための支柱２０が複数突出形成されている。また、壁１８には、この内面側から凹ませて外面側が凸状となる形状の部分が形成されている。この形成部分についてもう少し詳しく説明すると、内面側から凹ませて形成される凹み部分の空間は、電気接続箱１３の後述する構成部品２９を収容するための構成部品収容スペース２１となっている。また、凸状となる形状の凸状形成部分は、電気接続箱１３のカバーとして機能する壁一体型カバー２２となっている。構成部品収容スペース２１及び壁一体型カバー２２は、壁１８に連続して、言い換えれば壁１８に一体に形成されている（電気接続箱１３を構成するカバーがメータ裏ケース１６に一体化する）。
【００３２】
壁一体型カバー２２には、多数のヒューズ２３に対するヒューズキャビティの一部２４と、ヒュージブルリンク２５に対するキャビティ２６と、図示しないワイヤハーネスに設けられるコネクタを接続するための各種のキャビティ２７とが形成されている。また、壁一体型カバー２２には、後述するコネクタ３１に対する開口部２８も形成されている。
【００３３】
電気接続箱１３は、メータ裏ケース１６に一体化する壁一体型カバー２２を用いるような構成及び構造になっている。また、電気接続箱１３は、この構成部品２９がメータ裏ケース１６の構成部品収容スペース２１に収容されるような構成及び構造になっている。構成部品２９は、ヒューズ２３用の端子やヒュージブルリンク２５用の端子、及びこれらを固定するための樹脂部品等を有する配線板アッセンブリ３０と、複数のコネクタ３１を有するコネクタブロックアッセンブリ３２と、図示しない各種の部品等が実装される電気接続箱基板３３と、ＢｔｏＢピンヘッダー３４とを備えて構成されている。ＢｔｏＢピンヘッダー３４は、電気接続箱基板３３とメータ基板１７とを電気的に接続するための部品として備えられている。構成部品２９の機能は、公知のものと変わらないものとする。
【００３４】
蓋部材１４は、メータ裏ケース１６よりも安価な樹脂材料を用いて樹脂成形される樹脂成形品であって、蓋本体３５と、この蓋本体３５の正面に一体に設けられるリブ３６と、蓋本体３５の背面に一体に設けられるるキャビティ構成部３７とを有して、図示のような形状に形成されている。蓋本体３５は、構成部品収容スペース２１のある上記凹み部分の開口全体を覆うことができるような形状に形成されている。蓋本体３５は、上記凹み部分に対する蓋としての機能を有している（この機能により、電気接続箱１３側からメータ１２側への埃や異物等の侵入を防止することができる）。また、蓋本体３５は、メータ１２及び電気接続箱１３の間に介在してこれらの基板同士の絶縁をする機能も有している。蓋本体３５の背面には、キャビティ構成部３７と共に、電気接続箱基板３３を支持するための基板支持部３８が形成されている。
【００３５】
リブ３６は、これを形成することにより蓋部材１４の強度を高めることができるようになっている。また、リブ３６は、これを形成することによりメータ基板１７を支え、メータ基板１７の位置を安定させることができるようになっている。キャビティ構成部３７は、多数のヒューズ２３に対するヒューズキャビティの一部３９と、このヒューズキャビティの一部３９をメータ裏ケース１６の壁１８の外面から離す配置調整部４０とを有している。配置調整部４０は、この突出寸法を大きく設定することにより、壁１８の外面から離れた位置でヒューズ２３を容易に着脱することができるようになっている。引用符号４１は、ＢｔｏＢピンヘッダー３４に対する逃がし部分を示している。
【００３６】
次に、上記構成及び構造に基づきながら電気接続箱一体型メータ１１の製造について説明する。
【００３７】
電気接続箱一体型メータ１１は、所定の製造ラインにおいてメータ裏ケース１６をセットし、この後にメータ裏ケース１６の構成部品収容スペース２１に配線板アッセンブリ３０、コネクタブロックアッセンブリ３２、及び、ＢｔｏＢピンヘッダー３４を接続した電気接続箱基板３３を収容固定して電気接続箱１３を形成し、さらにこの後に、蓋部材１４を所定位置に組み付け、メータ基板１７等のメータ１２の構成部品を組み付け、最後にメータ表ケース１５をメータ裏ケース１６に被せて固定しメータ１２を形成することにより製造されるようになっている。尚、図１中の矢印Ｓは、メータ１２及び電気接続箱１３の組み付け方向を示している。
【００３８】
以上、図１ないし図３を参照しながら説明してきたように、本発明によれば、メータ１２及び電気接続箱１３の組み付け方向を同じ方向（矢印Ｓ参照）にすることができる。これにより、メータ１２及び電気接続箱１３を同一のラインで組み付けて電気接続箱一体型メータ１１を製造することができる。従って、本発明によれば、従来に比べて、組み付け性の向上や作業工数の低減やコスト低減を図ることができる。
【００３９】
本発明のメータ構造を採用した電気接続箱一体型メータ１１は、メータ１２及び電気接続箱１３の交換作業性及び解体作業性が良好であるのは言うまでもない。
【００４０】
本発明は本発明の主旨を変えない範囲で種々変更実施可能なことは勿論である。
【図面の簡単な説明】
【００４１】
【図１】本発明のメータ構造の一実施の形態を示す電気接続箱及びメータの分解斜視図（メータ表ケースを手前にしメータ裏ケースを奥にした分解斜視図）である。
【図２】電気接続箱及びメータの分解斜視図（メータ裏ケースを上にしメータ表ケースを下にした分解斜視図）である。
【図３】一体化した電気接続箱及びメータの図であり（ａ）は平面図、（ｂ）は背面図である。
【図４】従来例のメータ構造を示す図であり、（ａ）は分解斜視図、（ｂ）は断面図である。
【符号の説明】
【００４２】
１１  電気接続箱一体型メータ
１２  メータ
１３  電気接続箱
１４  蓋部材
１５  メータ表ケース
１６  メータ裏ケース
１７  メータ基板
１８  壁
１９  周壁
２０  支柱
２１  構成部品収容スペース
２２  壁一体型カバー
２３  ヒューズ
２４、３９  ヒューズキャビティの一部
２５  ヒュージブルリンク
２６、２７  キャビティ
２８  開口部
２９  構成部品
３０  配線板アッセンブリ
３１  コネクタ
３２  コネクタブロックアッセンブリ
３３  電気接続箱基板
３４  ＢｔｏＢピンヘッダー
３５  蓋本体
３６  リブ
３７  キャビティ構成部
３８  基板支持部
４０  配置調整部
４１  逃がし部分
【図１】
2010148186.tif 000003
【図２】
2010148186.tif 000004
【図３】
2010148186.tif 000005
【図４】
2010148186.tif 000006